Podtech/llm-jp-corpus-v4-ja_patent huggingface dataset:
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
廃棄物を入口シュート（９０）から物質コンテナー（１０）のコンテナー空間に供給する方法であって、前記入口シュート（９０）には少なくとも１つの投入点（６０）が配置され、前記少なくとも１つの投入点（６０）には、物質（６８）を前記入口シュートに供給し、前記入口シュートのチャネルセクションに沿って前記物質コンテナー（１０）へと先に進めるための投入開口（６１）があり、前記入口シュートは、主に鉛直なチャネルセクション（９１）と、鉛直方向から逸れるセクション（９２、９３）とを有し、
前記入口シュート（９０）内で搬送される前記物質の搬送は、前記物質コンテナー（１０）に向かう物質投入方向において、前記入口シュートに搬送空気流をもたらすことにより、少なくとも前記入口シュートの前記鉛直方向から逸れる前記セクション（９２、９３）において向上し、前記搬送空気流は、少なくとも部分的にファン手段（７）を用いてもたらされ、前記ファン手段の送風側は、前記入口シュート（９０）と媒体接続され、及び／又は前記ファン手段の吸気側は、前記物質コンテナー（１０）の前記コンテナー空間と媒体接続されていることを特徴とする、方法。
【請求項２】
前記物質は、主に重力の補助によって、前記入口シュート（９０）内の距離の少なくとも一部を搬送されることを特徴とする、請求項１に記載の方法。
【請求項３】
前記物質は、前記入口シュート（９０）から輸送コンテナーである前記物質コンテナー（１０）に供給されることを特徴とする、請求項１又は２に記載の方法。
【請求項４】
前記物質は、前記入口シュート（９０）から中間コンテナーである前記物質コンテナー（１０）に供給され、前記物質は、前記中間コンテナーから先に進めて、空気圧式物質搬送システムの搬送パイプ（１００）に沿って搬送されることを特徴とする、請求項１又は２に記載の方法。
【請求項５】
およそ２ｍ／秒〜１０ｍ／秒の速度の前記搬送空気流が前記入口シュート（９０）の底部にもたらされることを特徴とする、請求項１〜４のいずれか１項に記載の方法。
【請求項６】
廃棄物を入口シュート（９０）から物質コンテナー（１０）のコンテナー空間に供給する装置であって、前記入口シュート（９０）には少なくとも１つの投入点（６０）が配置され、前記少なくとも１つの投入点（６０）には、物質（６８）を前記入口シュートに供給し、前記入口シュートのチャネルセクションに沿って前記物質コンテナー（１０）へと先に進めるための投入開口（６１）があり、前記入口シュート（９０）は、主に鉛直なチャネルセクション（９１）と、鉛直方向から逸れるセクション（９２、９３）とを有し、
前記装置はファン手段（７、７’）を備え、前記ファン手段（７）の吸気側は、前記物質コンテナー（１０）の前記コンテナー空間と媒体接続され、前記ファン手段（７）の送風側は、前記物質コンテナーに向かう物質搬送方向において、搬送空気流が、前記入口シュートにもたらされ、少なくとも前記入口シュートの前記鉛直方向から逸れる前記セクション（９２、９３）にもたらされるように、前記入口シュート（９０）と媒体接続されていることを特徴とする、装置。
【請求項７】
前記ファン手段（７）の前記送風側は、チャネルセクション（６）により前記入口シュート（９０）に接続され、前記物質搬送方向において、前記入口シュートの前記鉛直方向から逸れる前記セクション（９２、９３）の前にある地点に接続されていることを特徴とする、請求項６に記載の装置。
【請求項８】
前記ファン手段（７）の前記吸気側は、吸気チャネルセクション（５）により前記物質コンテナー（１０）の前記コンテナー空間の頂部に構成されていることを特徴とする、請求項６又は７に記載の装置。
【請求項９】
前記ファン手段（７）の前記吸気側は、吸気チャネルセクション（５）により前記入口シュート（９０）の底部に構成され、又は前記物質コンテナー（１０）の近位に構成されていることを特徴とする、請求項６又は７に記載の装置。
【請求項１０】
前記ファン手段（７）の前記送風側は、チャネルセクション（６）により前記入口シュート（９０）の底部に接続されていることを特徴とする、請求項６〜９のいずれか１項に記載の装置。
【請求項１１】
およそ２ｍ／秒〜１０ｍ／秒の速度の搬送空気流が前記入口シュート（９０）の底部にもたらされることを特徴とする、請求項６〜１０のいずれか１項に記載の装置。
【手続補正２】
【補正対象書類名】明細書
【補正対象項目名】００５２
【補正方法】変更
【補正の内容】
【００５２】
１つの実施形態によれば、ファン手段７の吸気側は、吸気チャネルセクション５により物質コンテナー１０の物質空間の頂部に構成されている。
【手続補正３】
【補正対象書類名】明細書
【補正対象項目名】００５３
【補正方法】変更
【補正の内容】
【００５３】
１つの実施形態によれば、ファン手段７の吸気側は、吸気チャネルセクション５により入口シュート９０の底部に構成され、最も好適には物質コンテナーの近位に構成されている。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
ガラス製容器において、
内表面、外表面、および、前記外表面と前記内表面との間に延在する肉厚部を有する本体であって、前記本体の少なくとも前記内表面が１０以下の層剥離係数を有する本体と、
前記本体の前記外表面の少なくとも一部分の周辺に配置されたコーティングであって、堅牢性無機コーティングであるコーティングと、
を備え、
前記堅牢性コーティングを備える前記本体の前記外表面が０．７以下の摩擦係数を有する、ガラス製容器。
【請求項２】
ガラス製容器において、
内表面、外表面、および、前記外表面と前記内表面との間に延在する肉厚部を有する本体であって、前記本体の少なくとも前記内表面が１０以下の層剥離係数を有する本体と、
前記本体の前記外表面の少なくとも一部分の周辺に配置されたコーティングであって、仮コーティングであるコーティングと、
を備え、
前記仮コーティングを備える前記本体の前記外表面が０．７以下の摩擦係数を有する、ガラス製容器。
【請求項３】
ガラス製容器において、
内表面、外表面、および、前記外表面と前記内表面との間に延在する肉厚部を有する本体であって、前記本体の少なくとも前記内表面が１０以下の層剥離係数を有する本体と、
前記本体の前記外表面の少なくとも一部分の周辺に配置されたコーティングであって、堅牢性有機コーティングであるコーティングと、
を備え、
前記堅牢性有機コーティングを備える前記本体の前記外表面が０．７以下の摩擦係数を有する、ガラス製容器。
【請求項４】
前記コーティングが、少なくとも約２５０℃の温度で３０分間に亘り熱的に安定であることを特徴とする、請求項１または３に記載のガラス製容器。
【請求項５】
前記ガラス製容器が医薬品パッケージであることを特徴とする、請求項１から３のいずれか一項に記載のガラス製容器。
【請求項６】
前記本体が、前記本体の前記内表面と前記本体の前記外表面との間に延在する内部領域を有し、前記内部領域は連続層均質性を有することを特徴とする、請求項１から３のいずれか一項に記載のガラス製容器。
【請求項７】
前記本体の前記内表面が連続表面均質性を有することを特徴とする、請求項１から３のいずれか一項に記載のガラス製容器。
【請求項８】
前記仮コーティングが、３００℃以下の温度で１時間以内に熱分解することを特徴とする、請求項２に記載のガラス製容器。
【請求項９】
前記ガラス製容器に係る光透過率が、約４００ｎｍ〜約７００ｎｍの波長について、コーティングされていないガラス物品に係る光透過率の約５５％以上であることを特徴とする、請求項１または３に記載のガラス製容器。
【請求項１０】
前記堅牢性有機コーティングが、約１０℃／分間の昇温速度で１５０℃から３５０℃の温度まで加熱された場合にその質量の約５％未満の質量損失を有することを特徴とする、請求項３に記載のガラス製容器。
【請求項１１】
前記本体の前記内表面がバリアコーティングであることを特徴とする、請求項１から３のいずれか一項に記載のガラス製容器。
【請求項１２】
前記バリアコーティングが、無機コーティング、金属窒化物コーティング、金属酸化物コーティング、金属硫化物コーティング、ＳｉＯ２、ダイアモンド様炭素、グラフェンまたはカーバイドコーティングであることを特徴とする、請求項１１に記載のガラス製容器。
【請求項１３】
前記バリアコーティングが、Ａｌ２Ｏ３、ＴｉＯ２、ＺｒＯ２、ＳｎＯ、ＳｎＯ２、ＳｉＯ２、Ｔａ２Ｏ５、Ｎｂ２Ｏ５、Ｃｒ２Ｏ３、Ｖ２Ｏ５、ＺｎＯまたはＨｆＯ２、または、これらの組合せの少なくとも１種を含んでいることを特徴とする、請求項１１に記載のガラス製容器。
【請求項１４】
前記バリアコーティングが、ポリベンズイミダゾール、ポリビスオキサゾール、ポリビスチアゾール、ポリエーテルイミド、ポリキノリン、ポリチオフェン、フェニレンスルフィド、ポリスルホン、ポリシアヌレート、パリレン、ポリテトラフルオロエチレンおよび他のフルオロ置換ポリオレフィンを含むフッ素化ポリオレフィン、パーフルオロアルコキシポリマー、ポリエーテルエーテルケトン（ＰＥＥＫ）、ポリアミド、エポキシ、ポリポリフェノール、ポリウレタンアクリレート、環式オレフィンコポリマーおよび環式オレフィンポリマー、ポリエチレンを含むポリオレフィン、酸化ポリエチレン、ポリプロピレン、ポリエチレン／プロピレンコポリマー、ポリエチレン／酢酸ビニルコポリマー、ポリ塩化ビニル、ポリアクリレート、ポリメタクリレート、ポリスチレン、ポリテルペン、ポリ酸無水物、ポリ無水マレイン酸、ポリホルムアルデヒド、ポリアセタールおよびポリアセタールのコポリマー、ジメチルまたはジフェニルまたはメチル／フェニル混合物のポリシロキサン、過フッ素化シロキサンおよび他の置換シロキサン、ポリイミド、ポリカーボネート、ポリエステル、パラフィンおよびワックス、または、種々のこれらの組合せの少なくとも１種を含んでいることを特徴とする、請求項１１に記載のガラス製容器。
【手続補正２】
【補正対象書類名】明細書
【補正対象項目名】０３０３
【補正方法】変更
【補正の内容】
【０３０３】
第４８の態様は、堅牢性有機コーティングがカップリング剤をさらに含んでいる、第３の態様〜第６の態様および第４７の態様のいずれかのガラス製容器を含む。
【手続補正３】
【補正対象書類名】明細書
【補正対象項目名】０３０４
【補正方法】変更
【補正の内容】
【０３０４】
第４９の態様は、本体の少なくとも内表面が１０以下の層剥離係数を有している、第５の態様または第６の態様のいずれかのガラス製容器を含む。
【手続補正４】
【補正対象書類名】明細書
【補正対象項目名】０３０５
【補正方法】変更
【補正の内容】
【０３０５】
第５０の態様は、ガラス製容器に係る光透過率が、約４００ｎｍ〜約７００ｎｍの波長について、コーティングされていないガラス物品に係る光透過率の約５５％以上である、第１の態様〜第４９の態様のいずれかのガラス製容器を含む。
【手続補正５】
【補正対象書類名】明細書
【補正対象項目名】０３０６
【補正方法】変更
【補正の内容】
【０３０６】
第５１の態様は、ガラス製容器が医薬品パッケージである、第１の態様〜第５０の態様のいずれかのガラス製容器を含む。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
延伸方向に移動しているガラスリボンに力を印加するためのローラ対であって、
前記ガラスリボンの対向する面に沿って位置決めされた、夫々がシャフトと該シャフトに連結された接触ホイールとを備えている、第１のローラアセンブリおよび第２のローラアセンブリ、
を備え、
前記第１のローラアセンブリの前記シャフトが支持フレームに連結され、
前記第２のローラアセンブリの前記シャフトが作動システムに連結され、該作動システムが、前記ガラスリボンの前記延伸方向を横切る方向における前記第２のローラアセンブリの前記シャフトの並進を可能にする、位置変更可能な支持部材と、前記ガラスリボンの前記延伸方向を横切る方向における前記第２のローラアセンブリの前記接触ホイールの位置を制御する、空気圧式アクチュエータと、流体を高圧で前記空気圧式アクチュエータに送出する、前記空気圧式アクチュエータに流体連通している空気圧容器とを備え、
前記空気圧式アクチュエータが前記支持フレームに連結され、
前記作動システムが、前記空気圧式アクチュエータの据付け面と前記支持フレームの合わせ面との間に位置決めされた断熱部材をさらに備えていることを特徴とするローラ対。
【請求項２】
前記空気圧式アクチュエータが、前記容器から送出された前記流体を使用して前記空気圧式アクチュエータを伸長および格納させる、複動シリンダを含むことを特徴とする請求項１記載のローラ対。
【請求項３】
前記空気圧式アクチュエータが、伸長方向に対応する前記空気圧式アクチュエータの注入ポートに流体連通している伸長ノズルと、格納方向に対応する前記空気圧式アクチュエータの注入ポートに流体連通している格納ノズルとをさらに含み、前記伸長ノズルおよび前記格納ノズルが前記空気圧式アクチュエータの伸長速度および格納速度を夫々制限するように、前記伸長ノズルおよび前記格納ノズルが夫々の前記注入ポートよりも小さい流体通過速度を有することを特徴とする請求項２記載のローラ対。
【請求項４】
前記作動システムが、前記空気圧容器と前記空気圧式アクチュエータとに流体連通している作動スイッチをさらに備え、該作動スイッチが、
前記空気圧式アクチュエータを伸長または格納するために該作動スイッチを通る流体流を選択的に導く、作動部材と、
付勢要素および位置変更可能な戻り止めを含む、ロック部材と、
を備え、前記付勢要素が前記位置変更可能な戻り止めに係合して、前記作動部材が第１の方向に並進することを可能としかつ前記作動部材が第２の方向に並進しないように制限することを特徴とする請求項１から３いずれか１項記載のローラ対。
【請求項５】
前記作動システムが、前記第２のローラアセンブリの前記接触ホイールを前記ガラスリボンから引き離すものに対応する方向に前記第２のローラアセンブリに力を印加する、力部材をさらに含むことを特徴とする請求項１から４いずれか１項記載のローラ対。
【請求項６】
前記第１のローラアセンブリおよび前記第２のローラアセンブリのうちの少なくとも１つが、前記シャフトに連結されかつ前記接触ホイールの回転を制御する、駆動モータをさらに備えていることを特徴とする請求項１から５いずれか１項記載のローラ対。
【請求項７】
前記支持フレームが、金属材料と、
前記支持フレームの前記金属材料よりも耐熱性が大きい材料を含む断熱部材とを備えていることを特徴とする請求項１から６いずれか１項記載のローラ対。
【請求項８】
前記支持フレームから前記空気圧式アクチュエータへの伝導経路が金属要素の分断を含むように、前記断熱部材が遮熱部を画成することを特徴とする請求項７記載のローラ対。
【請求項９】
延伸方向に移動しているガラスリボンに力を印加するための延伸装置であって、
支持フレーム、および、
前記延伸方向において複数の位置に配置された複数のローラ対、
を備え、該複数のローラ対の夫々が、
前記ガラスリボンの対向する面に沿って位置決めされた、夫々がシャフトと該シャフトに連結された接触ホイールとを備えている、第１のローラアセンブリおよび第２のローラアセンブリ、を備え、
前記第１のローラアセンブリの前記シャフトが前記支持フレームに連結され、かつ、
前記第２のローラアセンブリの前記シャフトが作動システムに連結され、前記作動システムが、前記ガラスリボンの前記延伸方向を横切る方向における前記第２のローラアセンブリの前記シャフトの並進を可能にする、位置変更可能な支持部材と、前記ガラスリボンの前記延伸方向を横切る方向における前記第２のローラアセンブリの前記接触ホイールの位置を制御する、空気圧式アクチュエータと、空気圧容器と、前記ローラ対の夫々の前記空気圧式アクチュエータおよび前記空気圧容器に連結され、前記空気圧容器を前記ローラ対の夫々の前記空気圧式アクチュエータに流体連通させる、流体マニホールドとを備え、
前記ローラ対の夫々の前記空気圧式アクチュエータが前記支持フレームに連結され、
前記作動システムが、前記空気圧式アクチュエータの据付け面と前記支持フレームの合わせ面との間に位置決めされた断熱部材をさらに備えていることを特徴とする延伸装置。
【請求項１０】
前記ローラ対の夫々の前記空気圧式アクチュエータが、伸長方向に対応する前記空気圧式アクチュエータの注入ポートに流体連通している伸長ノズルと、格納方向に対応する前記空気圧式アクチュエータの注入ポートに流体連通している格納ノズルとをさらに含み、前記伸長ノズルおよび前記格納ノズルが前記空気圧式アクチュエータの伸長速度および格納速度を夫々制限するように、前記伸長ノズルおよび前記格納ノズルが夫々の前記注入ポートよりも小さい流体通過速度を有することを特徴とする請求項９記載の延伸装置。
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
シリカ後退を低減させる方法であって、
圧縮器で空気を圧縮するステップと、
ケイ素含有セラミックス又はケイ素含有セラミックス複合体を、燃焼器によってもたらされる高温燃焼ガス環境に露出するステップであって、燃焼器が圧縮器から第１の経路を通して圧縮空気の第１の部分を受け取る、ステップと、
ケイ素含有セラミックス又はケイ素含有セラミックス複合体の対象面を除湿された混合ガスと接触させることにより、対象面のシリカ後退を低減させるステップであって、除湿された混合ガスが、圧縮器からの第２の経路を通る圧縮空気の第２の部分から水分を除去するのに有効な水分除去剤により処理された圧縮空気の第２の部分を含んでいる、ステップと
を含んでおり、対象面に近接した位置でケイ素を圧縮空気の第２の部分に注入するステップであって、ケイ素が、圧縮空気の第２の部分を除湿する前、後又は前後の圧縮空気の第２の部分に注入される、ステップを更に含む、方法。
【請求項２】
除湿された混合ガスが、水分除去剤により処理された圧縮空気の第２の部分と混ざり合った燃焼ガスを含む、請求項１記載の方法。
【請求項３】
水分除去剤が、圧縮空気から水分を除去するのに有効な無機材料、有機材料又は機械デバイスを含む、請求項１記載の方法。
【請求項４】
無機材料が、シリカゲル、無水硫酸カルシウムから成る群から選択される、請求項３記載の方法。
【請求項５】
ケイ素含有セラミックスが、炭化ケイ素、炭化ケイ素−炭化ケイ素複合体、窒化ケイ素、ケイ素−炭化ケイ素、ケイ化モリブデン、及びこれらの混合物から成る群から選択される、請求項１記載の方法。
【請求項６】
ケイ素含有セラミックスが炭化ケイ素−炭化ケイ素複合体である、請求項５記載の方法。
【請求項７】
ケイ素含有セラミックスがケイ素を主成分として含む、請求項１記載の方法。
【請求項８】
ケイ素含有セラミックス複合体が連続繊維補強セラミックス複合体である、請求項１記載の方法。
【請求項９】
繊維が、炭素、炭化ケイ素、炭化ケイ素含有材料、及びこれらの混合物から成る群から選択される、請求項８記載の方法。
【請求項１０】
ケイ素含有セラミックス又はケイ素含有セラミックス複合体が高温タービン構成要素である、請求項１記載の方法。
【請求項１１】
ケイ素含有セラミックス又はケイ素含有セラミックス複合体のシリカ後退が、除湿された混合ガスを伴わない燃焼ガスに露出されたケイ素含有セラミックス又はケイ素含有セラミックス複合体と比べて少なくとも１／２の後退速度に低減される、請求項１記載の方法。
【請求項１２】
ケイ素含有セラミックス又はケイ素含有セラミックス複合体の対象面を覆うような除湿された混合ガスの層流を作成するステップを更に含む、請求項１記載の方法。
【請求項１３】
シリカ後退を低減させるためのシステムであって、
高温燃焼ガスを１以上のケイ素含有セラミックス又はケイ素含有セラミックス複合体に供給する燃焼器と、
第１の経路を通して燃焼ガスを生成させるための圧縮空気の第１の部分を燃焼器に供給するとともに、第２の経路を通して燃焼ガスと混合するための圧縮空気の第２の部分を供給する空気圧縮器と、
除湿された圧縮空気を燃焼ガスと混合する前に水分除去剤を圧縮空気の第２の部分に供給する１以上の除湿構成要素と、
１以上のケイ素含有セラミックス又はケイ素含有セラミックス複合体に近接した圧縮空気の第２の部分にケイ素を注入するための１以上のケイ素注入器と
を備えるシステム。
【請求項１４】
水分除去剤が、圧縮空気の第２の部分から水分を除去するのに有効な無機材料、有機材料又は機械デバイスを含む、請求項１３記載のシステム。
【請求項１５】
無機材料が、シリカゲル、無水硫酸カルシウムから成る群から選択される、請求項１４記載のシステム。
【請求項１６】
ケイ素含有セラミックス又はケイ素含有セラミックス複合体が、燃焼ライナ、ベーン及びブレード、ノズル、バケット、トランジションピース、シュラウドから成る群から選択されるタービン構成要素である、請求項１３記載のシステム。
【請求項１７】
システムが、地上設置型ガスタービン装置、航空機エンジン又は熱交換器の部分として一体化される、請求項１３記載のシステム。
【請求項１８】
１以上のケイ素注入器が、燃焼ガスを圧縮空気の第２の部分と混合する直前にケイ素の注入が実施されるように配置される、請求項１３記載のシステム。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
タバコから活性炭を生成する方法であって、前記タバコ植物を乾燥させて水を完全に蒸発させ、その後、得られた乾燥塊を不活性ガス雰囲気での嫌気的条件下、５５０〜１０００℃、好ましくは７５０〜８５０℃の温度で加熱することにより、同時進行する炭化および自己賦活に供し、得られた炭素中に存在する無機残渣を溶解し、前記炭素を、ろ液が７付近の一定ｐＨに到達するまで水で更に洗浄し、その後、乾燥させて前記水を完全に蒸発させることを特徴とする、方法。
【誤訳訂正書】
【提出日】平成29年9月8日(2017.9.8)
【誤訳訂正１】
【訂正対象書類名】特許請求の範囲
【訂正対象項目名】全文
【訂正方法】変更
【訂正の内容】
【特許請求の範囲】
【請求項１】
６ｍｌ未満の割合で６０秒までの時間で用いられた場合に、６ｍｌの６０ｖ／ｖ％水性イソプロピルアルコールを６０秒用いたことにより生じる殺菌効力と同等か、それよりも高い殺菌効力（ＥＮ１５００：１９９７の試験方法にしたがって測定）を生じ、０．２ｗ／ｗ％〜０．５ｗ／ｗ％のミリスチン酸イソプロピルおよびフェノキシエタノールを抗ピリング剤として含み、ゲル状、エマルジョン状または分散液状であり、アルコール性の擦式手指消毒組成物の形態である、抗ピリング（non-pilling）擦式手指消毒組成物。
【請求項２】
３ｍｌの組成物を用いる３０秒間の手指摩擦により、６ｍｌの６０ｖ／ｖ％イソプロピルアルコールを６０秒間用いることにより生じる殺菌効力と、実質的に同一またはより高いレベルの殺菌効力（ＥＮ１５００：１９９７の試験方法にしたがって測定）を生じる請求項１記載の抗ピリング擦式手指消毒組成物。
【請求項３】
前記アルコール性の擦式手指消毒組成物の形態は、エタノール系の擦式手指消毒組成物の形態である、請求項１または２記載の抗ピリング擦式手指消毒組成物。
【請求項４】
前記ミリスチン酸イソプロピルの含有量は、０．２ｗ／ｗ％〜０．３ｗ／ｗ％である、請求項１〜３のいずれか１項に記載の抗ピリング擦式手指消毒組成物。
【請求項５】
カプロン酸イソプロピル、ラウリン酸イソプロピル、パルミチン酸イソプロピルおよびステアリン酸イソプロピルを含まない請求項１〜４のいずれか１項に記載の抗ピリング擦式手指消毒組成物。
【請求項６】
ミリスチン酸イソプロピルが、組成物中に存在するミリスチン酸の唯一の誘導体である請求項１〜５のいずれか１項に記載の抗ピリング擦式手指消毒組成物。
【請求項７】
グリコールを含む請求項１〜６のいずれか１項に記載の抗ピリング擦式手指消毒組成物。
【請求項８】
グリコールが、ミリスチン酸イソプロピルの重量濃度の０．２５〜４倍の濃度のジプロピレングリコールであるか、または該ジプロピレングリコールを含む請求項７記載の抗ピリング擦式手指消毒組成物。
【請求項９】
１重量％以下の濃度でフェノキシエタノールを含む請求項１〜８のいずれか１項に記載の抗ピリング擦式手指消毒組成物。
【請求項１０】
組成物の１重量％までの量のグリコールおよびフェノキシエタノールを含む請求項１〜９のいずれか１項に記載の抗ピリング擦式手指消毒組成物。
【請求項１１】
ジプロピレングリコールおよびフェノキシエタノールを含む請求項１〜１０のいずれか１項に記載の抗ピリング擦式手指消毒組成物。
【請求項１２】
ゲル状の請求項１〜１１のいずれか１項に記載の抗ピリング擦式手指消毒組成物。
【請求項１３】
エマルジョンまたは分散液状の請求項１〜１１のいずれか１項に記載の抗ピリング擦式手指消毒組成物。
【請求項１４】
カプロン酸イソプロピル、ラウリン酸イソプロピル、パルミチン酸イソプロピルおよびステアリン酸イソプロピルを含まない請求項１３記載の抗ピリング擦式手指消毒組成物。
【請求項１５】
ミリスチン酸イソプロピルが、組成物中に存在するミリスチン酸の唯一の誘導体である請求項１３または１４記載の抗ピリング擦式手指消毒組成物。
【請求項１６】
１種または２種以上のグリコールを含む請求項１３〜１５のいずれか１項に記載の抗ピリング擦式手指消毒組成物。
【請求項１７】
グリコールの少なくとも１つが低分子グリコールである請求項１６記載の抗ピリング擦式手指消毒組成物。
【請求項１８】
低分子グリコールがプロピレングリコールである請求項１７記載の抗ピリング擦式手指消毒組成物。
【請求項１９】
プロピレングリコールおよびフェノキシエタノールを含む請求項１３〜１８のいずれか１項に記載の抗ピリング擦式手指消毒組成物。
【請求項２０】
エタノール、フェノキシエタノール、グリコールおよび抗ピリング剤として０．２〜０．５ｗ／ｗ％のミリスチン酸イソプロピルを含み、ゲル状、エマルジョン状または分散液状であり、他の全てのミリスチン酸誘導体を含まない抗ピリング製剤。
【請求項２１】
エタノール、フェノキシエタノール、ジプロピレングリコールおよびミリスチン酸イソプロピルを含み、他の全てのミリスチン酸誘導体を含まない請求項２０記載の抗ピリング製剤。
【請求項２２】
エタノール５０〜７０ｗ／ｗ％、ジプロピレングリコール０．２〜０．８ｗ／ｗ％、フェノキシエタノール０．２〜０．５ｗ／ｗ％およびミリスチン酸イソプロピル０．１〜０．３ｗ／ｗ％を含み、他の全てのミリスチン酸誘導体を含まない請求項２０または２１記載の抗ピリング製剤。
【請求項２３】
エタノール６０〜６５ｗ／ｗ％、ジプロピレングリコール０．４〜０．６ｗ／ｗ％、フェノキシエタノール０．５〜０．６ｗ／ｗ％およびミリスチン酸イソプロピル０．２〜０．５ｗ／ｗ％を含み、他の全てのミリスチン酸誘導体を含まない請求項２０〜２２のいずれか１項に記載の抗ピリング製剤。
【請求項２４】
６ｍｌの６０ｖ／ｖ％イソプロピルアルコールを用いる６０秒間の手指摩擦により生じる殺菌効力と同一またはより高いレベルの殺菌効力を生じる擦式手指消毒組成物の、皮膚感触を向上させる方法であって、ゲル状、エマルジョン状または分散液状である擦式手指消毒組成物により、０．２ｗ／ｗ％〜０．５ｗ／ｗ％のミリスチン酸イソプロピルおよびフェノキシエタノールを抗ピリング剤として手指摩擦に加えるステップを含む方法。
【請求項２５】
擦式手指消毒組成物が１つまたは２つ以上のグリコールを含む請求項２４記載の方法。
【請求項２６】
擦式手指消毒組成物がフェノキシエタノールを含む請求項２４または２５記載の方法。
【請求項２７】
擦式手指消毒組成物がグリコールおよびフェノキシエタノールを含む請求項２４〜２６のいずれか１項に記載の方法。
【請求項２８】
グリコールが、ミリスチン酸イソプロピルの重量濃度の０．２５〜４倍の濃度のジプロピレングリコールであるか、または該ジプロピレングリコールを含む請求項２７記載の方法。
【請求項２９】
手指摩擦がゲルの形態である請求項２４〜２８のいずれか１項に記載の方法。
【請求項３０】
手指摩擦がエマルジョンの形態である請求項２４〜２８のいずれか１項に記載の方法。
【請求項３１】
ミリスチン酸イソプロピルが、組成物中に存在するミリスチン酸の唯一の誘導体である請求項２４〜３０のいずれか１項に記載の方法。
【請求項３２】
ミリスチン酸イソプロピルが、カプロン酸イソプロピル、ラウリン酸イソプロピル、パルミチン酸イソプロピルおよびステアリン酸イソプロピルを含まない請求項２４〜３１のいずれか１項に記載の方法。
【誤訳訂正書】
【提出日】平成29年10月31日(2017.10.31)
【誤訳訂正１】
【訂正対象書類名】特許請求の範囲
【訂正対象項目名】全文
【訂正方法】変更
【訂正の内容】
【特許請求の範囲】
【請求項１】
ａ）少なくとも５０ｍｇ／ｍｌ抗ＩＬ−２３ｐ１９抗体ｈｕｍ１３Ｂ８−ｂと、
ｂ）ｐＨ５．５〜６．０のヒスチジン緩衝液と、
ｃ）界面活性剤と、
ｄ）溶液を等張にするために必要な量の等張化剤であって、スクロース、トレハロース又はマンニトールである等張化剤と
を含み、
前記抗体ｈｕｍ１３Ｂ８−ｂが、
ｉ）配列番号２の配列を含む軽鎖ポリペプチドと、
ｉｉ）配列番号１の配列を含む重鎖ポリペプチドと
を含む、抗ＩＬ−２３ｐ１９抗体ｈｕｍ１３Ｂ８−ｂの安定な溶液製剤。
【請求項２】
少なくとも８０ｍｇ／ｍｌ抗ＩＬ−２３ｐ１９抗体ｈｕｍ１３Ｂ８−ｂを含む、請求項１に記載の安定な溶液製剤。
【請求項３】
少なくとも１００ｍｇ／ｍｌ抗ＩＬ−２３ｐ１９抗体ｈｕｍ１３Ｂ８−ｂを含む、請求項２に記載の安定な溶液製剤。
【請求項４】
８０〜１２０ｍｇ／ｍｌ抗ＩＬ−２３ｐ１９抗体ｈｕｍ１３Ｂ８−ｂを含む、請求項１に記載の安定な溶液製剤。
【請求項５】
約１００ｍｇ／ｍｌ抗ＩＬ−２３ｐ１９抗体ｈｕｍ１３Ｂ８−ｂを含む、請求項４に記載の安定な溶液製剤。
【請求項６】
自己免疫疾患、炎症性疾患、または増殖性障害の治療において使用するための、請求項１〜５のいずれかに記載の安定な溶液製剤。
【請求項７】
年４回の皮下投与を含む乾癬を治療する方法に用いる医薬品の製造における、請求項４に記載の安定な溶液製剤の使用。
【請求項８】
皮下投与がシリンジ、自動注射器、注射器ペンまたは無針注射装置を用いる注射により行われる、請求項７に記載の使用。
【請求項９】
界面活性剤がポリソルベート８０であり、等張化剤がスクロースである、請求項１に記載の安定な溶液製剤。
【請求項１０】
界面活性剤が０〜０．０５％（Ｗ／Ｖ）のポリソルベート８０であり、等張化剤が７％（Ｗ／Ｖ）スクロースである、請求項９の安定な溶液製剤。
【請求項１１】
自己免疫疾患、炎症性疾患、または増殖性障害を治療するための医薬品の製造における、請求項１〜５のいずれかに記載の安定な溶液製剤の使用。
【誤訳訂正２】
【訂正対象書類名】明細書
【訂正対象項目名】００６１
【訂正方法】変更
【訂正の内容】
【００６１】
抗体は、連続注入により、または例えば１日、週に１〜７回、１週間、２週間、月１回、２ヶ月に１回、年４回、半年に１回または年１回の間隔での投与により提供することができる。好ましい投与プロトコルは、重大な望ましくない副作用を回避する最大用量または投与頻度を含むものである。合計週用量は、一般に少なくとも０．０５μｇ／ｋｇ、０．２μｇ／ｋｇ、０．５μｇ／ｋｇ、１μｇ／ｋｇ、１０μｇ／ｋｇ、１００μｇ／ｋｇ、０．２ｍｇ／ｋｇ、１．０ｍｇ／ｋｇ、２．０ｍｇ／ｋｇ、１０ｍｇ／ｋｇ、２５ｍｇ／ｋｇ、５０ｍｇ／ｋｇ体重であり、またはこれを超える。例えば、Ｙａｎｇら（２００３）Ｎｅｗ  Ｅｎｇｌ．Ｊ．Ｍｅｄ．３４９；４２７〜４３４頁；Ｈｅｒｏｌｄら（２００２）Ｎｅｗ  Ｅｎｇｌ．Ｊ．Ｍｅｄ．３４６；１６９２〜１６９８頁；Ｌｉｕら（１９９９）Ｊ．Ｎｅｕｒｏｌ．Ｎｅｕｒｏｓｕｒｇ．Ｐｓｙｃｈ．６７；４５１〜４５６頁；Ｐｏｒｔｉｅｌｊｉら（２０００３）Ｃａｎｃｅｒ  Ｉｍｍｕｎｏｌ．Ｉｍｍｕｎｏｔｈｅｒ．５２；１３３〜１４４頁参照。
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
単離された二重特異性上皮増殖因子受容体（ＥＧＦＲ）／肝細胞増殖因子受容体（ｃ−Ｍｅｔ）抗体であって、
ａ）第１の重鎖（ＨＣ１）と、
ｂ）第２の重鎖（ＨＣ２）と、
ｃ）第１の軽鎖（ＬＣ１）と、
ｄ）第２の軽鎖（ＬＣ２）と
を含み、
前記ＨＣ１、前記ＨＣ２、前記ＬＣ１及び前記ＬＣ２が、それぞれ、配列番号１９９、２００、２０１及び２０２で示されるアミノ酸配列を含む、
二重特異性抗体。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
第１の組成物、第２の組成物、および第３の組成物を含む組成物であって、
上記第１の組成物は、ハトムギ、オート麦、ソバ、ホワイトビーンズ、イエローコーン、小豆、大豆、ヤムイモ、大ナツメ、ピーナッツ、蓮の実、およびクコの実を含み、
上記第２の組成物は、ゴーヤまたはゴーヤの抽出物、第１の発酵性食物繊維および第１のオリゴ糖を含み、
上記第３の組成物は、第２の発酵性食物繊維、および第２のオリゴ糖を含むことを特徴とする組成物。
【請求項２】
上記ソバは、一般的なソバ、ダッタンソバ、またはそれらの組み合わせを含むことを特徴とする請求項１記載の組成物。
【請求項３】
上記ソバは、ソバ属、エリオゴヌム属、またはソバカズラ属の植物の種子を含むことを特徴とする請求項１記載の組成物。
【請求項４】
上記オート麦は、カラスムギ属の植物の種子を含むことを特徴とする請求項１記載の組成物。
【請求項５】
上記第１の組成物は、１００ｇあたり、レチノール当量において３μｇ〜８５７μｇのビタミンＡ、レチノール当量において０．０１μｇ〜５μｇのビタミンＤ、２ｍｇ〜７９．０９ｍｇのビタミンＥ、０．０１ｍｇ〜１．８９ｍｇのビタミンＢ１、０．０１ｍｇ〜１．４ｍｇのビタミンＢ２、０．０１ｍｇ〜１．２ｍｇのビタミンＢ６、０．１ｍｇ〜２．４ｍｇのビタミンＢ１２、１ｍｇ〜１１７０ｍｇのビタミンＣ、ナイアシン当量において０．５ｍｇ〜２８．４ｍｇのナイアシン、６０ｍｇ〜２４５８ｍｇのカルシウム、２００ｍｇ〜１８９３ｍｇのリン、３５０ｍｇ〜１７９６ｍｇのカリウム、８ｍｇ〜２２００ｍｇのナトリウム、１００ｍｇ〜３５０ｍｇのマグネシウム、および、２ｍｇ〜２０ｍｇの鉄を含むことを特徴とする請求項１記載の組成物。
【請求項６】
上記第２の組成物は、上記ゴーヤ、上記第１の発酵性食物繊維、および上記第１のオリゴ糖から成ることを特徴とする請求項１記載の組成物。
【請求項７】
上記ゴーヤは、粉末状であることを特徴とする請求項１記載の組成物。
【請求項８】
上記粉末は、凍結乾燥工法、または噴霧乾燥工法によって製造されることを特徴とする請求項７記載の組成物。
【請求項９】
上記第１の発酵性食物繊維または第２の発酵性食物繊維は、独立して、ファイバーソル２、レジスタントスターチ、ポリデキストロース、セルロース、ヘミセルロース、ペクチン、ゴム、またはそれらの組み合わせを含むことを特徴とする請求項１記載の組成物。
【請求項１０】
上記第１のオリゴ糖または第２のオリゴ糖は、独立して、フラクトオリゴ糖、ガラクトオリゴ糖、ラクツロース、キシロイソマルトオリゴ糖、大豆オリゴ糖、オリゴブドウ糖、スタキオース、乳果オリゴ糖、またはそれらの組み合わせを含むことを特徴とする請求項１記載の組成物。
【請求項１１】
上記第２の組成物は、１５重量％〜９９．８重量％の上記ゴーヤ、０．１重量％〜５１重量％の上記第１の発酵性食物繊維、０．１重量％〜３４重量％の上記第１のオリゴ糖を含むことを特徴とする請求項１記載の組成物。
【請求項１２】
上記第２の組成物は、粉末状であることを特徴とする請求項１記載の組成物。
【請求項１３】
第１の組成物、第２の組成物および第３の組成物を含む栄養介入組成物であって、
上記第１の組成物は、ハトムギ、オート麦、ソバ、ホワイトビーンズ、イエローコーン、小豆、大豆、ヤムイモ、大ナツメ、ピーナッツ、蓮の実、およびクコの実を含み、
上記第２の組成物は、ゴーヤまたはゴーヤの抽出物、第１の発酵性食物繊維および第１のオリゴ糖を含み、
上記第３の組成物は、第２の発酵性食物繊維および第２のオリゴ糖を含むことを特徴とする栄養介入組成物。
【請求項１４】
上記第１の組成物は、１０重量％〜２０重量％のタンパク質、２重量％〜１５重量％の脂質、５０重量％〜７０重量％の炭水化物、および２〜１５重量％の発酵性食物繊維を含むことを特徴とする請求項１３記載の栄養介入組成物。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
一般式Ｉ
【化１】
2016505524.tif 000001
（式中、
Ｒ１は、Ｈ、ハロゲン、−ＯＨ、−ＮＨ２、−ＣＮ、−ＮＯ２、またはハロゲン（Ｆ、Ｃｌ、Ｂｒ、Ｉ）、−ＯＨ、−ＮＨ２、−ＣＮおよび／もしくは−ＮＯ２で１〜５置換され得る、直鎖状もしくは分枝状の飽和もしくは不飽和Ｃ１〜Ｃ４０炭化水素残基であり、その１個または複数個のＣＨ２基は、−Ｏ−、−Ｓ−、−Ｃ（Ｏ）Ｏ−、−Ｏ−Ｃ（Ｏ）−、−Ｃ（Ｏ）−、−ＮＨ−または−ＮＲ３−で置き換えることができ、ここで、Ｒ３は、置換されてもよいＣ１〜Ｃ４０炭化水素残基、または置換されてもよいアリール、アルキルアリール、アルコキシアリール、アルカノイルもしくはアロイル残基であり；
Ｒ２ａおよびＲ２ｂは、Ｈであり、または任意選択で１対もしくは複数対の隣接するＲ２ａ／Ｒ２ｂは、結合して六員炭素環中の単結合を形成し；
ｍは、０から３の整数であり；
ｎは、０または１であり；
Ｘは、ハロゲンまたはトリフルオロメチルスルホネートで、かつＹはＨであり；あるいは、ＸはＨで、かつＹは、ハロゲンまたはトリフルオロメチルスルホネートである）
のオリゴフェニレンモノマー。
【請求項２】
ｎが０である、請求項１に記載のオリゴフェニレンモノマー。
【請求項３】
ｍが０または１である、請求項１または２に記載のオリゴフェニレンモノマー。
【請求項４】
Ｘが、ハロゲンまたはトリフルオロメチルスルホネートで、かつＹがＨである、請求項１から３のいずれか一項に記載のオリゴフェニレンモノマー。
【請求項５】
Ｒ２ａおよびＲ２ｂがＨである、請求項１から４のいずれか一項に記載のオリゴフェニレンモノマー。
【請求項６】
隣接するＲ２ａ／Ｒ２ｂの各対が、結合して六員炭素環中の単結合を形成する、請求項１から４のいずれか一項に記載のオリゴフェニレンモノマー。
【請求項７】
一般式Ｉａ、Ｉｂ、ＩｃまたはＩｄ
【化２】
2016505524.tif 000002
（式中、
Ｒ１は、Ｈ、ハロゲン、−ＯＨ、−ＮＨ２、−ＣＮ、−ＮＯ２、またはハロゲン（Ｆ、Ｃｌ、Ｂｒ、Ｉ）、−ＯＨ、−ＮＨ２、−ＣＮおよび／もしくは−ＮＯ２で１〜５置換され得る、直鎖状もしくは分枝状の飽和もしくは不飽和Ｃ１〜Ｃ４０炭化水素残基であり、その１個または複数個のＣＨ２基は、−Ｏ−、−Ｓ−、−Ｃ（Ｏ）Ｏ−、−Ｏ−Ｃ（Ｏ）−、−Ｃ（Ｏ）−、−ＮＨ−または−ＮＲ３−で置き換えることができ、ここで、Ｒ３は、置換されてもよいＣ１〜Ｃ４０炭化水素残基、または置換されてもよいアリール、アルキルアリール、アルコキシアリール、アルカノイルもしくはアロイル残基であり；
Ｘは、ハロゲンまたはトリフルオロメチルスルホネートである）
で表わされる、請求項１から４のいずれか一項に記載のオリゴフェニレンモノマー。
【請求項８】
ＸがＨで、かつＹが、ハロゲンまたはトリフルオロメチルスルホネートである、請求項１から３のいずれか一項に記載のオリゴフェニレンモノマー。
【請求項９】
一般式Ｉｅ、Ｉｆ、ＩｇまたはＩｈ
【化３】
2016505524.tif 000003
（式中、
Ｒ１は、Ｈ、ハロゲン、−ＯＨ、−ＮＨ２、−ＣＮ、−ＮＯ２、またはハロゲン（Ｆ、Ｃｌ、Ｂｒ、Ｉ）、−ＯＨ、−ＮＨ２、−ＣＮおよび／もしくは−ＮＯ２で１〜５置換され得る、直鎖状もしくは分枝状の飽和もしくは不飽和Ｃ１〜Ｃ４０炭化水素残基であり、その１個または複数個のＣＨ２基は、−Ｏ−、−Ｓ−、−Ｃ（Ｏ）Ｏ−、−Ｏ−Ｃ（Ｏ）−、−Ｃ（Ｏ）−、−ＮＨ−または−ＮＲ３−で置き換えることができ、ここで、Ｒ３は、置換されてもよいＣ１〜Ｃ４０炭化水素残基、または置換されてもよいアリール、アルキルアリール、アルコキシアリール、アルカノイルもしくはアロイル残基であり；
Ｙは、ハロゲンまたはトリフルオロメチルスルホネートである）
で表わされる、請求項１から３のいずれか一項に記載のオリゴフェニレンモノマー。
【請求項１０】
請求項１から９のいずれか一項に記載のオリゴフェニレンモノマーから得られる、グラフェンナノリボンの製造のためのポリマー前駆体。
【請求項１１】
一般式ＩＩａ、ＩＩｂ、ＩＩｃ、ＩＩｄ、ＩＩｅ、ＩＩｆ、ＩＩｇまたはＩＩｈ
【化４】
2016505524.tif 000004
2016505524.tif 000005
（式中、
Ｒ１は、Ｈ、ハロゲン、−ＯＨ、−ＮＨ２、−ＣＮ、−ＮＯ２、またはハロゲン（Ｆ、Ｃｌ、Ｂｒ、Ｉ）、−ＯＨ、−ＮＨ２、−ＣＮおよび／もしくは−ＮＯ２で１〜５置換され得る、直鎖状もしくは分枝状の飽和もしくは不飽和Ｃ１〜Ｃ４０炭化水素残基であり、その１個または複数個のＣＨ２基は、−Ｏ−、−Ｓ−、−Ｃ（Ｏ）Ｏ−、−Ｏ−Ｃ（Ｏ）−、−Ｃ（Ｏ）−、−ＮＨ−または−ＮＲ３−で置き換えることができ、ここで、Ｒ３は、置換されてもよいＣ１〜Ｃ４０炭化水素残基、または置換されてもよいアリール、アルキルアリール、アルコキシアリール、アルカノイルもしくはアロイル残基である）
の繰返し単位を有する、請求項１０に記載のグラフェンナノリボンの製造のためのポリマー前駆体。
【請求項１２】
一般式Ｉａ、Ｉｂ、Ｉｃ、Ｉｄ、Ｉｅ、Ｉｆ、ＩｇまたはＩｈ
【化５】
2016505524.tif 000006
2016505524.tif 000007
（式中、
Ｒ１は、Ｈ、ハロゲン、−ＯＨ、−ＮＨ２、−ＣＮ、−ＮＯ２、またはハロゲン（Ｆ、Ｃｌ、Ｂｒ、Ｉ）、−ＯＨ、−ＮＨ２、−ＣＮおよび／もしくは−ＮＯ２で１〜５置換され得る、直鎖状もしくは分枝状の飽和もしくは不飽和Ｃ１〜Ｃ４０炭化水素残基であり、その１個または複数個のＣＨ２基は、−Ｏ−、−Ｓ−、−Ｃ（Ｏ）Ｏ−、−Ｏ−Ｃ（Ｏ）−、−Ｃ（Ｏ）−、−ＮＨ−または−ＮＲ３−で置き換えることができ、ここで、Ｒ３は、置換されてもよいＣ１〜Ｃ４０炭化水素残基、または置換されてもよいアリール、アルキルアリール、アルコキシアリール、アルカノイルもしくはアロイル残基であり；
Ｘは、ハロゲンまたはトリフルオロメチルスルホネートであり；
Ｙは、ハロゲンまたはトリフルオロメチルスルホネートである）
のオリゴフェニレンモノマーの重合によって得られる、請求項１１に記載のポリマー前駆体。
【請求項１３】
請求項１１に記載のポリマー前駆体の脱水素環化によって得られる、グラフェンナノリボン。
【請求項１４】
溶液プロセスで調製される、請求項１３に記載のグラフェンナノリボン。
【請求項１５】
請求項１から９のいずれか一項に記載のオリゴフェニレンモノマーの重合および脱水素環化によって、表面でのグラフェンナノリボンの直接成長により調製される、請求項１３に記載のグラフェンナノリボン。
【請求項１６】
請求項１３に記載のグラフェンナノリボンの１種または複数を含む薄膜半導体を含む、電子、光学または光電子装置。
【請求項１７】
有機電界効果トランジスタ装置、有機太陽光発電装置または有機発光ダイオードである、請求項１６に記載の装置。
【手続補正書】
【提出日】平成28年12月16日(2016.12.16)
【手続補正１】
【補正対象書類名】明細書
【補正対象項目名】０００５
【補正方法】変更
【補正の内容】
【０００５】
第１態様は第１シリカパーツを第２シリカパーツに接合するための方法である。当該方法は、第１シリカパーツおよび第２シリカパーツを供すること、第１シリカパーツの接触面と第２シリカパーツの接触面をシリカおよびシリカ前駆体の少なくとも一方を有する溶液で被覆すること、第２シリカパーツの被覆表面に隣接して（又は隣接するように; adjacent to）第１シリカパーツの被覆表面を設け、アッセンブリを形成すること、およびアッセンブリを加熱することを含む。
【手続補正２】
【補正対象書類名】明細書
【補正対象項目名】０００６
【補正方法】変更
【補正の内容】
【０００６】
別の態様は多結晶インゴットの一方向凝固で使用するための坩堝である。当該坩堝は、ベース、ベッセル内への材料の封じ込め（containment）のためのベッセルを形成するためにベースの周囲に延在する側壁；および内側キャビティおよび外側キャビティを規定するため側壁から内側の位置にあるベースに取り付けられた梁（又は堰;weir）を有する。当該梁は、外側キャビティ内の材料を内側キャビティ内に移動できるようにするための梁を通じる少なくとも１つの通路を有する。
【手続補正３】
【補正対象書類名】明細書
【補正対象項目名】００１４
【補正方法】変更
【補正の内容】
【００１４】
溶融シリカから成る２つ以上のパーツを有する坩堝の製造のための一態様の方法では、パーツの接触表面を類似の輪郭を有し、一体的に嵌合（又は接合;mate）するように形成する。各パーツの接触表面をシリカ又はシリカ前駆体（例えば“スリップ（;slip）”）を含む溶液で被覆させる。分散コロイド懸濁液を展開（又は発展;develop）させるように溶液を用意し、典型的には接触表面の両側にぬる。次いで、接触表面を一体的にプレスし、乾燥する。溶液は典型的には水性系システムであるので当該溶液を空気乾燥する。
【手続補正４】
【補正対象書類名】明細書
【補正対象項目名】００１６
【補正方法】変更
【補正の内容】
【００１６】
溶液は、キャブ−０−シル（Cab-0-Sil）、サーモシル等のスリップ鋳造剤、又は他の適当なスリップ鋳造剤を含んでいてよい。溶液は、テトロアルコキシシラン（tetroalkoxysilane）等のシリカ前駆体、又は他の適当なシリカ前駆体を含んでいてよい。
【手続補正５】
【補正対象書類名】明細書
【補正対象項目名】００２０
【補正方法】変更
【補正の内容】
【００２０】
熱は、坩堝の周りの様々な位置に位置付けられたヒーター２２４、２２６および２２８により坩堝１００に供される。ヒーター２２４、２２６および２２８からの熱はフィードストック材２１６を溶融し又は液化させ、次いで液化状態に溶融物２１２を保つ。ヒーター２２４は概して円筒形状であり、坩堝１００の側部に熱を供し、ヒーター２２６およびヒーター２２８は坩堝の底部に熱を供する。ある態様では、ヒーター２２６およびヒーター２２８は概して環状形状である。
【手続補正６】
【補正対象書類名】明細書
【補正対象項目名】００２５
【補正方法】変更
【補正の内容】
【００２５】
溶融物２１２の動き（又は移動又は運動;movement）は通路１３２の位置に制限される。梁１３０の下部に沿った通路１３２の設置により、溶融物２１２の動きは坩堝１００のベース１１０に沿った動きに限定される。これにより、内側溶融部内の溶融物２１２の動きは（インゴットが引き出される）溶融物の頂部に対して遠位部分又は溶融物の頂部とは反対部分である。この溶融物の動きの限定は溶融物２１２の内側溶融部の頂部に沿った表面破壊および温度変動を制限する。
【手続補正７】
【補正対象書類名】明細書
【補正対象項目名】００２７
【補正方法】変更
【補正の内容】
【００２７】
図１を参照すると、シリコンが外側キャビティ内で溶融されると共に、固形シリコンが外側キャビティ１０６内に連続的に供給される。これにより、供給と溶融がキャビティ１０６内で並行する。溶融物２１２は外側キャビティ１０６から通路１３２を介して内側キャビティ１０４へと通る。次いで、インゴット２１４は内側キャビティ１０４内の溶融物２１２から成長する。
【手続補正８】
【補正対象書類名】明細書
【補正対象項目名】００３０
【補正方法】変更
【補正の内容】
【００３０】
工程の始めにおいては、フィードストック材は内側キャビティ１０４と外側キャビティ１０６の両方/内側キャビティ１０４又は外側キャビティ１０６に設けられ得る。操作中、フィードストック材は、供給および結晶成長の連続工程のため梁１３０の外側の領域に設けられ得る。梁１３０の外側のフィードストック材が溶融すると、溶融物２１２は外側キャビティ１０６から内側キャビティ１０４内へと動くことができる。キャビティ１０４とキャビティ１０６間の溶融物の動きは梁１３０の外側脚と内側脚を通じる通路に制限される。
【手続補正９】
【補正対象書類名】明細書
【補正対象項目名】００３７
【補正方法】変更
【補正の内容】
【００３７】
本明細書で開示するように、第１梁３３０および第２梁３５０の両方が接合剤３４０および接合剤３６０でベース３１０にそれぞれ固定されている。しかしながら、ある態様では、第１梁３１０および第２梁３５０の一方のみがベース３１０に固定される。他の態様では、接合剤３４０は接合剤３６０と同じであってよい。更に他の態様では、接合剤３４０および接合剤３６０は異なる組成物を有している。